(57)【特許請求の範囲】
【請求項１】
複数の銃を収容するためのロッカーと、
前記ロッカーの中で前記複数の銃を並列に固定するための銃固定手段と、
前記ロッカーは、前記銃を立てる起立状態と前記銃を倒す倒伏状態に配置可能に設けられることと、
前記ロッカーの一側面に取り付けられた一対のブラケットに対して方向可変に取り付けられた駆動車輪と、
前記ロッカーの枠体に設けられた車軸に回転可能に取り付けられた従動車輪と、
前記一対のブラケットの間に架設された棒状のハンドルと、
を備えたことを特徴とする銃架台。
【請求項２】
前記一対のブラケットが設けられた側面を介して対向する側面にコの字形のハンドルをそれぞれ固定したことを特徴とする請求項１に記載の銃架台。
【請求項３】
前記駆動車輪と前記従動車輪は、前記ロッカーが前記起立状態に配置されたときに地面から離れ、前記ロッカーが前記倒伏状態に配置されたときに地面に接するように前記ロッカーに取り付けられたことを特徴とする請求項１又は請求項２に記載の銃架台。
【請求項４】
前記ロッカーが前記起立状態に配置されたときに、前記ロッカーを斜めに傾けて支持するためのスタンドを備えたことを特徴とする請求項１乃至請求項３の何れか一つに記載の銃架台。
【請求項５】
前記スタンドは、前記ロッカーから張り出さない畳み位置と、前記ロッカーを支持するために前記ロッカーから張り出した使用位置との間で切替配置可能に設けられることと、
前記畳み位置と前記使用位置とで前記スタンドをロックするためのスタンドロック手段と
を備えたことを特徴とする請求項４に記載の銃架台。
【請求項６】
前記ロッカーが前記起立状態に配置されたときに、前記ロッカーを別の銃架台のロッカーと連結するための連結手段を備えたことを特徴とする請求項１乃至請求項５の何れか一つに記載の銃架台。
【請求項７】
前記ロッカーの中で前記複数の銃に併せて複数の銃剣を並列に固定するための銃剣固定手段を備えたことを特徴とする請求項１乃至請求項６の何れか一つに記載の銃架台。
【発明の詳細な説明】
【０００１】
【発明の属する技術分野】
この発明は、主として複数の銃を、付属的には複数の銃剣を併せて保管するのに使用される銃架台に関する。
【０００２】
【従来の技術】
従来、演習等で使用される複数の小銃は、例えば、保管室の中に備え付けられた架台に立て掛けられて施錠され、保管されていた。ここで、小銃用の架台は、保管室の中に予め備え付けられ、固定されていた。
【０００３】
【発明が解決しようとする課題】
従って、野外演習等のために複数の小銃をまとめて運搬するには、保管室の中で小銃を架台から取り外し、別のボックス等へ移し替えて運搬しなければならなかった。
又、演習地へ運んだ後も小銃を保管することは必要であり、小銃の使用と保管が繰り返されることになった。このため、演習地でも取り扱いが容易なように小銃を保管することが必要になった。そこで、従来の保管方法を演習地でも採用した場合、演習地に設営された施設の中に小銃用の架台を別途仮設しなければならず、そのための作業が増えることになった。
【０００４】
この発明は上記事情に鑑みてなされたものであって、その目的は、銃の保管と運搬を容易にし、銃の取り扱いを容易にすることを可能にした銃架台を提供することにある。
【０００５】
【課題を解決するための手段】
上記目的を達成するために、請求項１に記載の発明は、複数の銃を収容するためのロッカーと、ロッカーの中で複数の銃を並列に固定するための銃固定手段と、ロッカーは、銃を立てる起立状態と銃を倒す倒伏状態に配置可能に設けられることと、ロッカーに設けられた車輪とを備えたことを趣旨とする。
【０００６】
上記発明の構成によれば、複数の銃がロッカーに収容され、並列に配置された状態で銃固定手段により固定されることにより、それらの銃がそのまま保管される。又、ロッカーを起立状態に配置することにより、複数の銃が並列に立てられることから、ロッカーに対する銃の出し入れや、銃固定手段に対する銃の取り付け取り外しが容易となる。一方、車輪を地面に着けてロッカーを押したり引いたりすることにより、ロッカーが車輪により走行し、銃がロッカーに保管されたまま運ばれる。
【０００７】
上記目的を達成するために、請求項２に記載の発明は、請求項１に記載の発明において、ロッカーの車輪による走行を操作するためのハンドルを備えたことを趣旨とする。
【０００８】
上記発明の構成によれば、請求項１に記載の発明の作用に加え、ハンドルを使用することにより、ロッカーの車輪による走行の操作が容易となる。
【０００９】
上記目的を達成するために、請求項３に記載の発明は、請求項１又は請求項２に記載の発明において、車輪は、ロッカーが起立状態に配置されたときに地面から離れ、ロッカーが倒伏状態に配置されたときに地面に接するようにロッカーに取り付けられたことを趣旨とする。
【００１０】
上記発明の構成によれば、請求項１又は請求項２に記載の発明の作用に加え、ロッカーを起立状態に配置したときに車輪が地面から離れるので、起立状態のロッカーが不用意に動くことがない。一方、ロッカーを倒伏状態に配置したときに車輪が地面に接することから、安定した倒伏状態でロッカーを走行させることが可能になる。更には、複数の銃架台を上下に積み上げた状態で走行させることも可能になる。
【００１１】
上記目的を達成するために、請求項４に記載の発明は、請求項１乃至請求項３の何れか一つに記載の発明において、ロッカーが起立状態に配置されたときに、ロッカーを斜めに傾けて支持するためのスタンドを備えたことを趣旨とする。
【００１２】
上記発明の構成によれば、請求項１乃至請求項３の何れか一つに記載の発明の作用に加え、スタンドを使用することにより、ロッカーが起立状態から斜めに傾けられて支持されるので、ロッカーに対する銃の出し入れや、銃固定手段に対する銃の取り付け、取り外しが更に容易となる。
【００１３】
上記目的を達成するために、請求項５に記載の発明は、請求項４に記載の発明において、スタンドは、ロッカーから張り出さない畳み位置と、ロッカーを支持するためにロッカーから張り出した使用位置との間で切替配置可能に設けられることと、畳み位置と使用位置とでスタンドをロックするためのスタンドロック手段とを備えたことを趣旨とする。
【００１４】
上記発明の構成によれば、請求項４に記載の発明の作用に加え、スタンドを使用しないときには、スタンドが畳み位置でスタンドロック手段によりロックされることから、例えば、ロッカーを車輪で走行させるときにスタンドが張り出して邪魔になることがない。又、スタンドを使用するときには、スタンドが使用位置でスタンドロック手段によりロックされるので、ロッカーが斜めに傾けられているときに、スタンドが不用意に外れることがない。
【００１５】
上記目的を達成するために、請求項６に記載の発明は、請求項１乃至請求項５の何れか一つに記載の発明において、ロッカーが起立状態に配置されたときに、ロッカーを別の銃架台のロッカーと連結するための連結手段を備えたことを趣旨とする。
【００１６】
上記発明の構成によれば、請求項１乃至請求項５の何れか一つに記載の発明の作用に加え、起立状態に配置されたロッカーを連結手段により別のロッカーと連結させることにより、起立状態の二つのロッカーが一体化する。
【００１７】
上記目的を達成するために、請求項７に記載の発明は、請求項１乃至請求項６の何れか一つに記載の発明において、ロッカーの中で複数の銃に併せて複数の銃剣を並列に固定するための銃剣固定手段を備えたことを趣旨とする。
【００１８】
上記発明の構成によれば、請求項１乃至請求項６の何れか一つに記載の発明の作用に加え、複数の銃と共に複数の銃剣がロッカーの中で並列に配置された状態で銃剣固定手段により固定され保管される。ロッカーを車輪により走行させることにより、複数の銃と共に複数の銃剣がロッカーに保管されたまま運ばれる。
【００１９】
【発明の実施の形態】
以下、本発明の銃架台を具体化した一実施の形態を図面を参照して詳細に説明する。
【００２０】
図１に銃架台の平面図を、図２に図１の側面図を、図３に図１の正面図をそれぞれ示す。銃架台１は、ロッカー２と、ロッカー２に設けられた車輪としての左右一対のキャスター３と、同じくロッカー２に設けられてストッパ４を付けた車輪としての左右一対の自在キャスター５と、ロッカー２のキャスター３，５による走行を操作すること等に使用される複数のハンドル６，７とを備える。
【００２１】
ロッカー２は、金属製ボックスよりなり、その上面に位置する開口８には観音開き式の扉９が設けられる。扉９には、錠１０が設けられる。
【００２２】
左右一対のキャスター３は、ロッカー２の後面２ａの近くに設けられた車軸１１に回転可能に取り付けられる。このキャスター３は、ロッカー２の底面２ｂの側へのみ張り出し、後面２ａの側には張り出さないように取り付けられる。左右一対の自在キャスター５は、ロッカー２の前面２ｃ側に取り付けられた一対のブラケット１２に対して方向可変に取り付けられる。この自在キャスター５は、キャスター３との協働によりロッカー２を水平に支持するために、その底面２ｂの側への張り出しがキャスター３のそれと同じになるように設定される。
【００２３】
棒状のハンドル６は、その両端が上記両ブラケット１２に固定される。「コ」の字形の四つのハンドル７は、それぞれロッカー２の側面２ｄの両端に固定される。これら四つのハンドル７は、ロッカー２を持ち上げるときにも使われる。
【００２４】
図４，５にロッカー２の内部を破線等で示す。ロッカー２は、主として複数の小銃１３を収容すると共に、付属的に複数の銃剣１６を収容するものである。ロッカー２の中には、複数の小銃１３を並列に配置して固定するための銃固定手段が設けられる。この銃固定手段は、小銃１３の銃床１３ａを受け入れる銃床受具１４と、銃身１３ｂの一部を固定するための銃身固定器１５とを含む。銃身固定器１５は、複数の銃剣１６を並列に配置して固定するための銃剣固定手段を兼ね備える。即ち、銃身固定器１５は、小銃１３と併せて銃剣１６も固定できるようになっている。銃身固定器１５は、各小銃１３及び各銃剣１６の一部に係合してそれらを固定するものである。ロッカー２は、複数の小銃１３及び複数の銃剣１６を内部に収容して固定した状態で、図４に示すように小銃１３及び銃剣１６を立てる起立状態と、図５に示すように小銃１３及び銃剣１６を倒す倒伏状態に配置可能になっている。これは、ロッカー２がボックス形状をなすことと、キャスター３がロッカー２の底面２ｂの側へだけ張り出すように取り付けられることとによるものである。そして、各キャスター３，５は、ロッカー２が起立状態に配置されたときに地面から離れ、ロッカー２が倒伏状態に配置されたときに地面に接するようになっている。
【００２５】
図１，２，４，５に示すように、ロッカー２の両側面２ｄには、それぞれ棒状のスタンド１７が設けられる。これら一対のスタンド１７は、図６に示すように、ロッカー２が起立状態に配置されたときに、ロッカー２を起立状態から斜めに傾けて支持するためのものである。
【００２６】
一対のスタンド１７は、図１，２，４，５に示すように、ロッカー２から張り出さない畳み位置と、図６に示すように、ロッカー２を斜めに支持するためにロッカー２の底面２ｂの側へ張り出した使用位置との間で切替配置可能に設けられる。一対のスタンド１７及びロッカー２の両側面２ｄには、畳み位置と使用位置とでスタンド１７をロックするためのスタンドロック手段が設けられる。この実施の形態では、起立状態に対してロッカー２を「１５°」程度だけ斜めに傾けるようになっている。
【００２７】
図７，８，９に、スタンドロック手段を含むスタンド１７等の構造を示す。即ち、スタンド１７は、ロッカー２の側面２ｄに固定されたボルト付きの支軸１８を中心に回動可能に支持される。図８に示すように、支軸１８は、ロッカー２に設けられた軸受１９に固定される。スタンド１７は、ワッシャー２０と共に支軸１８に装着され、ナット２１により抜け止めされる。図７，８に示すように、スタンド１７の基端には、係止器２１が設けられる。この係止器２１は、枠２３に対して出没可能に設けられた係止片２４を含む。係止片２４は、スタンド１７の基端から突出する方向へばね（図示略）で常に付勢される。係止片２４に設けられた操作突起２５は、係止片２４を枠２３に対してスライドさせるために操作されるものである。図７に示すように、ロッカー２の各側面２ｄには、上記畳み位置と使用位置とに対応して断面Ｌ字形の受止具２６Ａ，２６Ｂがそれぞれ固定される。図９に示すように、各受止具２６Ａ，２６Ｂは、係止片２４に対応する孔２６ａを有する。これら係止器２２及び各受止具２６Ａ，２６Ｂによりスタンドロック手段が構成される。そして、図７に実線で示すように、スタンド１７が畳み位置に配置された状態では、係止器２２の係止片２４が一方の受止具２６Ａの孔２６ａに係止され、同位置でスタンド１７がロックされる。一方、図７に２点鎖線で示すように、スタンド１７が使用位置に配置された状態では、係止器２２の係止片２４が他方の受止具２６Ｂの孔２６ａに係止され、同位置でスタンド１７がロックされる。
【００２８】
図１，３に示すように、ロッカー２の前面２ｃには、ロッカー２を別の銃架台のロッカーと連結するための連結手段が設けられる。この連結手段は、連結バー２７と、連結バー２７の両端を締め付ける一対の蝶ナット２８とを含む。そして、二の蝶ナット２８のうち一方を緩め又は外して、連結バー２７の一端を別のロッカー２に対して蝶ナット２８で締め付けることにより、図１０に示すように、起立状態に配置されたロッカー２を別のロッカー２と連結するようになっている。
【００２９】
以上説明した本実施の形態の銃架台１の構成によれば、複数の小銃１３がロッカー２に収容され、並列に配置された状態で銃床受具１４及び銃身固定器１５により固定されると共に、複数の銃剣１６がロッカー２に収容され、並列に配置された状態で銃身固定器１５により固定されることにより、それら小銃１３及び銃剣１６がそのままロッカー２の中に保管される。つまり、小銃１３及び銃剣１６をロッカー２の中に固定することで小銃１３及び銃剣１６の保管が完了することになり、小銃１３及び銃剣１６の保管を容易なものにすることができる。
又、図４に示すように、ロッカー２を起立状態に配置することにより、複数の小銃１３及び銃剣１６が並列に立てられることから、ロッカー２に対する小銃１３及び銃剣１６の出し入れや、銃床受具１４及び銃身固定器１５に対する小銃１３の取り付け取り外し、銃身固定器１５に対する銃剣１６の取り付け取り外しが容易となる。この結果、複数の小銃１３及び複数の銃剣１６の取り扱いを容易なものにすることができる。
【００３０】
又、キャスター３，５を地面に着けてロッカー２を押したり引いたりすることにより、ロッカー２がキャスター３，５により走行し、複数の小銃１３及び複数の銃剣１６がロッカー２に保管されたまま運ばれることになる。このため、小銃１３及び銃剣１６の移し替えを行う必要がなく、小銃１３及び銃剣１６の保管と運搬を容易なものにすることができる。
【００３１】
つまり、保管室等の常置場所では、銃架台１を本来の架台として使用することができ、小銃１３や銃剣１６を運搬するときには、銃架台１をそのまま台車として使用することができる。従って、従来の運搬方法とは異なり、野外演習等のために複数の小銃１３及び銃剣１６をまとめて運搬する際には、保管室等の中の銃架台１を、キャスター３，５を使用して走行させることにより、その中に保管された小銃１３及び銃剣１６と共に容易に運搬することができる。
一方、銃架台１を演習地等へ運んだ後は、銃架台１をそのまま仮設式の架台として使用することができ、小銃１３及び銃剣１６の保管作業を簡略化することができる。しかも、銃架台１を起立状態に配置すれば、野外演習地においても小銃１３及び銃剣１６の取り扱いを容易なものにすることができる。更に、従来の保管方法とは異なり、演習地等で架台を別途仮設する必要がない分だけ作業を簡略化することができるようになる。
【００３２】
この実施の形態の銃架台１によれば、ロッカー２のキャスター３，４による走行を操作するためのハンドル６，７を設けたので、ハンドル６，７を使用することにより、ロッカー２のキャスター３，５による走行の操作が容易となる。このため、小銃１３及び銃剣１６の運搬作業をハンドル６，７の操作による分だけ一層容易なものにすることができる。
【００３３】
この実施の形態の銃架台１によれば、図４に示すように、ロッカー２を起立状態に配置したときにキャスター３，５が地面から離れるので、起立状態のロッカー２が不用意に動くことがない。このため、起立状態では、定位置で安定したロッカー２に対して小銃１３及び銃剣１６を出し入れすることができるので、小銃１３及び銃剣１６の取り扱いを一層容易なものにすることができる。
一方、図５に示すように、ロッカー２を倒伏状態に配置したときにキャスター３，５が地面に接するので、安定した倒伏状態でロッカー２を走行させることが可能になる。このため、ロッカー２を安定走行させることができ、そのことにより運搬作業を一層容易なものにすることができる。この状態では、複数の銃架台１を上下に積み上げた状態で走行させることも可能になる。このため、小銃１３及び銃剣１６の運搬効率を高めることができるようになる。
この他、ロッカー２を起立状態から傾けた状態でキャスター３のみを使って走行させることもできる。
【００３４】
この実施の形態の銃架台１によれば、図６に示すように、スタンド１７を使用位置にロックして使用することにより、ロッカー２が起立状態から斜めに傾けられて支持されることになる。従って、ロッカー２が斜めに配置された分だけ、ロッカー２に対する小銃１３及び銃剣１６の出し入れや、銃床受具１４及び銃身固定器１５に対する小銃１３の取り付け取り外しの作業、銃身固定器１５に対する銃剣１６の取り付け取り外しの作業が更に容易となる。このため、ロッカー２を起立状態に配置したときよりも、小銃１３及び銃剣１６の取り扱いを一層容易なものにすることができる。
【００３５】
しかも、この実施の形態の銃架台１によれば、スタンド１７を使用しないときには、図１，２，４，５に示すようにスタンド１７が畳み位置で係止器２２及び受止具２６Ａにより固定される。このため、例えば、ロッカー２をキャスター３，５で走行させるときにスタンド１７が張り出して邪魔になることがない。又、スタンド１７を使用するときには、図６に示すように、スタンド１７が使用位置で係止器２２及び受止具２６Ｂにより固定されるので、ロッカー２が傾けられているときに、スタンド１７が不用意に外れることがない。このため、スタンド１７の不使用時には、スタンド１７が銃架台１の運搬作業を阻害することがなく、スタンド１７の使用時には、スタンド１７を確実に機能させて小銃１３及び銃剣１６の取り扱いを容易なものにすることができる。
【００３６】
この実施の形態の銃架台１によれば、図１０に示すように、起立状態に配置された一つの銃架台１のロッカー２を、連結バー２７及び蝶ナット２８により別の銃架台１のロッカー２と連結させることにより、起立状態の二つのロッカー２が一体化する。このため、起立状態にある二つのロッカー２をより一層安定的した状態に保つことができ、銃架台１を振動に対して安定させることができる。
【００３７】
尚、この発明は前記実施の形態に限定されるものではなく、発明の趣旨を逸脱することのない範囲で以下のように実施することもできる。
【００３８】
（１）前記実施の形態の銃架台１において、ハンドル６，７、スタンド１７とスタンドロック手段を構成する係止器２２及び受止具２６Ａ，２６Ｂ、並びに、連結手段を構成する連結バー２７及び蝶ナット２８のうち少なくとも一部を省略して実施することもできる。
【００３９】
（２）本発明の銃固定手段、スタンドロック手段及び連結手段のうち少なくとも一つを前記実施の形態の銃架台１で具体化されたものとは異なる構成により具体化することもできる。
【００４０】
（３）前記実施の形態では、連結手段を構成する連結バー２７及び蝶ナット２８により二つのロッカー２を互いに連結するように構成したが、一つのロッカーに対して複数組の連結バー及び蝶ナットを設けることにより、一つのロッカーに対して二つ又は三つのロッカーを連結するように構成することもできる。
【００４１】
（４）前記実施の形態では、銃身固定器１５を銃剣固定手段として複数の銃剣１６を小銃１３に併せて固定するようにしたが、銃剣固定手段を省略して具体化することもできる。
【００４２】
【発明の効果】
請求項１に記載の発明の構成によれば、銃の保管と運搬を容易なものにすることができ、併せて銃の取り扱いを容易なものにすることができる。
【００４３】
請求項２に記載の発明の構成によれば、請求項１に記載の発明の効果に加え、銃の運搬作業をハンドルの操作による分だけ一層容易なものにすることができる。
【００４４】
請求項３に記載の発明の構成によれば、請求項１又は請求項２に記載の発明の効果に加え、起立状態では、定位置で安定したロッカーに対して銃を出し入れすることができるので、銃の取り扱いを一層容易なものにすることができる。又、ロッカーを安定した配置状態で走行させることができ、そのことにより運搬作業を一層容易なものにすることができる。
【００４５】
請求項４に記載の発明の構成によれば、請求項１乃至請求項３の何れか一つに記載の発明の効果に加え、ロッカーを斜めに傾けて支持できるので、ロッカーを起立状態に配置したときよりも、銃の取り扱いを一層容易なものにすることができる。
【００４６】
請求項５に記載の発明の構成によれば、請求項４に記載の発明の効果に加え、スタンド不使用時には、スタンドが銃架台の運搬作業を阻害することがなく、スタンド使用時には、スタンドを確実に機能させて銃の取り扱いを容易なものにすることができる。
【００４７】
請求項６に記載の発明の構成によれば、請求項１乃至請求項５の何れか一つに記載の発明の効果に加え、起立状態にある複数のロッカーをより一層安定的した状態に保つことができ、振動に対して安定させることができる。
【００４８】
請求項７に記載の発明の構成によれば、請求項１乃至請求項６の何れか一つに記載の発明の効果に加え、銃と共に銃剣の保管と運搬を容易なものにすることができ、併せて銃剣の取り扱いを容易なものにすることができる。
【図面の簡単な説明】
【図１】一実施の形態に係り、銃架台を示す平面図である。
【図２】同じく、銃架台を示す図１の側面図である。
【図３】同じく、銃架台を示す図１の正面図である。
【図４】同じく、ロッカー内部を破線等で示す起立状態の銃架台の側面図である。
【図５】同じく、ロッカー内部を破線等で示す倒伏状態の銃架台の側面図である。
【図６】同じく、スタンド使用状態を示す銃架台の側面図である。
【図７】同じく、スタンド及びスタンドロック手段の構造を示す図である。
【図８】同じく、スタンド及びスタンドロック手段の構造を示す図である。
【図９】同じく、スタンドロック手段の構造を示す図である。
【図１０】同じく、連結バー等の使用状態を示す銃架台の側面図である。
【符号の説明】
１    銃架台
２    ロッカー
３    キャスター（車輪）
５    自在キャスター（車輪）
６    ハンドル
７    ハンドル
１３  小銃
１４  銃床受具
１５  銃身固定器（１４，１５は銃固定手段、１５は銃剣固定手段）
１７  スタンド
２２  係止器
２６  受止具（２２，２６はスタンドロック手段）
２７  連結バー
２８  蝶ナット（２７，２８は連結手段）
【図１】
0003577271.tif 000002
【図２】
0003577271.tif 000003
【図３】
0003577271.tif 000004
【図４】
0003577271.tif 000005
【図５】
0003577271.tif 000006
【図６】
0003577271.tif 000007
【図７】
0003577271.tif 000008
【図８】
0003577271.tif 000009
【図９】
0003577271.tif 000010
【図１０】
0003577271.tif 000011